(57)【特許請求の範囲】
【請求項１】
複数の制御回線と、
上記複数の制御回線が接続される火災受信機と、
上記各制御回線を介して、上記火災受信機と接続された複数の被制御装置と、
を具備する火災報知設備において、
上記火災受信機は、オンまたはオフ操作によって上記制御回線の遮断状態または遮断解除状態である遮断情報を設定する遮断スイッチと、
上記火災受信機の火災監視状態と点検状態とを切り替える点検スイッチと、
上記火災監視状態の上記遮断情報を記憶する記憶手段と、
上記遮断スイッチに基づいて設定された上記制御回線の遮断情報を用いて、上記制御回線の被制御装置を制御する制御手段と、を備え、
上記制御手段は、上記点検スイッチの操作によって上記火災受信機が点検状態となると、上記遮断情報を上記記憶手段に記憶すると共に、全ての遮断情報を遮断解除状態とし、
上記点検スイッチの操作によって上記火災受信機の点検状態が解除されると、上記遮断スイッチの遮断情報を、上記記憶手段に記憶された上記遮断情報に戻すことを特徴とする火災報知設備。
【請求項２】
複数の制御回線と、
上記複数の制御回線が接続される火災受信機と、
上記各制御回線を介して、上記火災受信機と接続された複数の被制御装置と、
を具備する火災報知設備において、
上記火災受信機は、オンまたはオフ操作によって上記制御回線の遮断状態または遮断解除状態である遮断情報を設定する遮断スイッチと、
上記火災受信機の火災監視状態と点検状態とを切り替える点検スイッチと、
上記火災監視状態の上記遮断情報を記憶する記憶手段と、
上記遮断スイッチに基づいて設定された上記制御回線の遮断情報を用いて、上記制御回線の被制御装置を制御する制御手段と、を備え、
上記制御手段は、上記点検スイッチの操作によって上記火災受信機が点検状態となると、上記遮断情報を上記記憶手段に記憶し、
上記点検スイッチの操作によって上記火災受信機の点検状態が解除されると、上記遮断スイッチの遮断情報を、上記記憶手段に記憶された上記遮断情報に戻すものであって、
上記点検スイッチの操作によって上記火災受信機の点検状態が解除されるときに、
上記記憶手段に記憶された上記遮断情報、
又は、上記点検中の遮断情報、
又は、上記遮断解除状態
のいずれかを選択して、上記遮断スイッチの遮断情報の設定とすることを特徴とする火災報知設備。
【発明の詳細な説明】
【技術分野】
【０００１】
本発明は、火災報知設備に関するものである。
【背景技術】
【０００２】
従来から、ビルやマンションなどでは、各部屋などに設置された火災感知器を、感知器回線を介して、管理人室などに設置された火災受信機に接続し、火災監視を行っている。このような火災報知設備は、定期的に点検作業を行う必要があるため、記録装置であるプリンタを備えて、これらの結果が印字出力できるものがある（特許文献１参照）。
【０００３】
このような従来の火災報知設備において、点検作業を行う際、一部機能（例えば防排煙装置や外部移報など）に対応する遮断スイッチをオンすることによって遮断状態にし、火災感知器のあぶり試験などの各種点検を行い、点検作業が終了すると、全ての遮断状態を解除して監視状態に戻す必要がある。また、現場によっては監視状態において一時的に一部機能に対応する遮断スイッチをオンにして、一部機能を遮断状態のまま運用する場合がある。このような設定がされた火災報知設備においては、点検時に、遮断状態としていた一部機能、例えば防排煙装置に対応する遮断スイッチをオフして遮断解除状態としてから、火災感知器と防排煙装置の連動動作などの点検を行うことも考えられるが、この場合、点検作業が終了すると、防排煙装置に対応する遮断スイッチを再度オンにして、一部機能を遮断状態に戻す必要があった。
【先行技術文献】
【特許文献】
【０００４】
【特許文献１】特開平９−２５９３６９号
【発明の概要】
【発明が解決しようとする課題】
【０００５】
このように火災報知設備は、点検前と点検中の遮断情報（遮断状態または、遮断解除状態）が、点検の内容や現場の一時的な運用状態により様々であるため、プリンタがある場合には、プリンタに印字された内容を確認して、点検前の遮断情報に戻す操作を行い、プリンタが無い場合には、点検者が紙などに点検前の遮断情報を記録する必要があった。その結果、点検後の復旧作業に時間が掛かるだけでなく、点検後に遮断情報を元に戻す操作を忘れる可能性があるといった問題があった。
【課題を解決するための手段】
【０００６】
この発明は、複数の制御回線と、複数の制御回線が接続される火災受信機と、各制御回線を介して、火災受信機と接続された複数の被制御装置と、を具備する火災報知設備において、火災受信機は、オンまたはオフ操作によって制御回線の遮断状態または遮断解除状態である遮断情報を設定する遮断スイッチと、火災受信機の火災監視状態と点検状態とを切り替える点検スイッチと、火災監視状態の遮断情報を記憶する記憶手段と、遮断スイッチに基づいて設定された制御回線の遮断情報を用いて、制御回線の被制御装置を制御する制御手段と、を備え、制御手段は、点検スイッチの操作によって火災受信機が点検状態となると、遮断情報を記憶手段に記憶すると共に、全ての遮断情報を遮断解除状態とし、点検スイッチの操作によって火災受信機の点検状態が解除されると、遮断スイッチの遮断情報を、記憶手段に記憶された遮断情報に戻すことを特徴とする。
【０００７】
またこの発明は、複数の制御回線と、複数の制御回線が接続される火災受信機と、各制御回線を介して、火災受信機と接続された複数の被制御装置と、を具備する火災報知設備において、火災受信機は、オンまたはオフ操作によって制御回線の遮断状態または遮断解除状態である遮断情報を設定する遮断スイッチと、火災受信機の火災監視状態と点検状態とを切り替える点検スイッチと、火災監視状態の遮断情報を記憶する記憶手段と、遮断スイッチに基づいて設定された制御回線の遮断情報を用いて、制御回線の被制御装置を制御する制御手段と、を備え、制御手段は、点検スイッチの操作によって火災受信機が点検状態となると、遮断情報を記憶手段に記憶し、点検スイッチの操作によって火災受信機の点検状態が解除されると、遮断スイッチの遮断情報を、記憶手段に記憶された遮断情報に戻すものであって、点検スイッチの操作によって火災受信機の点検状態が解除されるときに、記憶手段に記憶された遮断情報、又は、点検中の遮断情報、又は、遮断解除状態のいずれかを選択して、遮断スイッチの遮断情報の設定とすることを特徴とする。
【発明の効果】
【０００８】
本願発明は、複数の制御回線と、複数の制御回線が接続される火災受信機と、各制御回線を介して、火災受信機と接続された複数の被制御装置と、を具備する火災報知設備において、火災受信機は、オンまたはオフ操作によって制御回線の遮断状態または遮断解除状態である遮断情報を設定する遮断スイッチと、火災受信機の火災監視状態と点検状態とを切り替える点検スイッチと、火災監視状態の遮断情報を記憶する記憶手段と、遮断スイッチに基づいて設定された制御回線の遮断情報を用いて、制御回線の被制御装置を制御する制御手段と、を備え、制御手段は、点検スイッチの操作によって火災受信機が点検状態となると、遮断情報を記憶手段に記憶し、点検スイッチの操作によって火災受信機の点検状態が解除されると、遮断スイッチの遮断情報を、記憶手段に記憶された遮断情報に戻すので、点検終了時に自動的に点検前の遮断情報に戻すことができ、点検作業後の遮断情報の設定操作を省いて復旧作業を軽減すると共に、遮断情報の設定の戻し忘れなどを防止する。
【０００９】
また、本発明の制御手段は、点検スイッチの操作によって火災受信機の点検状態が解除されるときに、記憶手段に記憶された遮断情報、又は、点検中の遮断情報、又は、遮断解除状態のいずれかを選択して、遮断スイッチの遮断情報の設定とするので、点検前の遮断情報か、点検中に設定した遮断情報か、遮断解除状態かを点検終了時に選択して復旧でき、点検作業後の遮断情報の設定操作を省いて復旧作業を軽減する。
【図面の簡単な説明】
【００１０】
【図１】本発明の実施形態を示した火災報知設備の構成図。
【発明を実施するための最良の形態】
【００１１】
以下、本発明の火災報知設備１００のうち、一部の制御回線Ｌ２が連動遮断状態に設定された場合について図１を用いて説明する。なお、図１において、各線Ｌ１、Ｌ２は通常１対の配線が用いられるが、便宜上１本の線として表現したものである。
【００１２】
１は火災を監視する火災受信機１である。火災受信機１は複数の送受信回路７ａと制御回路７ｂを有し、各送受信回路７ａを介して複数の感知器回線Ｌ１が、各制御回路７ｂを介して制御回線Ｌ２が接続されている。
【００１３】
各感知器回線Ｌ１は、建物内の各防護領域へ向けて敷設され、火災を検出すると内部接点を閉じる火災感知器２や、利用者が押下すると内部接点を閉じる発信機３が接続されている。
【００１４】
各制御回線Ｌ２は、感知器回線Ｌ１と同様に各防護領域へ向けて敷設され、各防護領域に設けられた火災感知器２や発信機３の発報に対応して連動制御される被制御装置が接続されている。被制御装置は、火災受信機１から出力される制御信号により制御回路７ｂに設けられた移報接点（図示せず）がオンになると電源供給されて動作する装置であって、種別としては例えば、火災によって発生する煙を外部に出す防排煙装置４、防護領域に設けられ、避難誘導を促す非常警報装置６、エレベータの制御を行うＥＶ盤６や、その他、延焼を防ぐ防火戸や消火装置（図示しない）などがある。
【００１５】
この制御回線Ｌ２は、本願の火災報知設備１００を建物などに設置した後、操作部１０に設けられた遮断スイッチがオンオフ操作されることで、遮断情報が設定される。
【００１６】
火災受信機１は、火災感知器２と信号伝送を行う送受信回路７ａと、被制御装置を起動させる制御回路７ｂと、火災受信機全体を制御する制御部８と、火災や火災が発生した地区を表示する表示部９と、各種操作を行う操作部１０と、火災感知器２と被制御装置との対応関係（火災感知器２と被制御装置との連動テーブル）や、通常監視状態の遮断情報（遮断スイッチのオンオフ状態）に関する情報を記憶する記憶部１１とからなる。
【００１７】
感知器回線Ｌ１に接続された火災感知器２が火災を検出したり、発信機３が利用者によって押下されると、所定時間内部接点を閉じる、所謂スイッチング動作が行われて、感知器回線Ｌ１が略短絡して電圧低下する。送受信回路７ａは、その電圧低下を検出し、後述する制御部８に火災信号を出力するものである。
【００１８】
制御回路７ｂは、制御部８から制御信号を受信すると、図示しない内部接点を略短絡して、被制御装置を起動させたりするものである。より詳しく述べると、感知器回線Ｌ１に接続された火災感知器２や発信機３が発報し、その後に、後述する制御部８から、被制御装置を起動させる制御信号を受信すると、記憶部１１に記憶された火災感知器２と被制御装置との連動テーブルを参照し、対応する移報接点をオンにして被制御装置を起動させるものである。
【００１９】
制御部８は、火災受信機全体を制御する制御手段の一例であり、送受信回路７ａからの火災信号を受信すると、表示部９のＬＥＤを点灯させると共に、記憶部１１に記憶された火災感知器２と被制御装置との対応関係や、記憶部１１に記憶された遮断情報に応じて、対応する被制御装置を動作させる制御信号を制御回路７ｂに送信するものである。より詳しく述べると、制御部８は、送受信回路７ａから火災信号を受信すると、記憶部１１に記憶された連動テーブルを参照して、連動制御対象の制御回路７ｂを選択する。次に、選択された制御回路７ｂに対して、操作部１０に設けられた遮断スイッチの遮断情報に基づき、遮断状態が設定されていない、つまり、遮断解除状態が設定されている制御回路７ｂに対して制御信号を出力し、遮断解除状態が設定されていない、つまり、遮断状態が設定された制御回路７ｂには何も出力しない。
【００２０】
表示部９は火災受信機１の盤面に設けられたＬＥＤ等の光源からなり、各防護領域に敷設された感知器回線Ｌ１や制御回線Ｌ２に対応して設けられる。そして表示部９は、感知器回線Ｌ１に接続された火災感知器２や、制御回線Ｌ２に接続された防排煙装置４が動作すると、制御部８によって対応するＬＥＤ等が点灯制御されるものである。
【００２１】
操作部１０は、操作手段としての一例で、火災受信機１の盤面に設けられ、火災検出による火災警報の停止や、被制御装置の各種別に対応する各制御回線Ｌ２を一括して、遮断情報を設定可能な遮断スイッチ（種別一括遮断スイッチ）や、個別の制御回線Ｌ２に対して遮断情報を設定可能な遮断スイッチ（個別回線遮断スイッチ）や、火災受信機１の状態として、火災監視状態と点検状態とを切り換えるものであって、火災受信機１を点検状態とする点検スイッチなどの各種操作スイッチからなる。
【００２２】
記憶手段としての記憶部１１は、各防護領域に敷設された火災感知器２に対応して連動制御される被制御装置との対応関係（連動テーブル）や、制御部８によって点検前や点検中の各種遮断スイッチの遮断情報が記憶されるものである。
【００２３】
続いて、本実施の形態における火災報知設備１００の動作について説明する。
火災報知設備１００の火災監視状態において、防護領域に火災が発生すると、火災が発生した防護領域内に設置された火災感知器２が火災を検出して内部接点を閉じる。火災感知器２が内部接点を閉じると、感知器回線Ｌ１が略短絡して電圧が低下する。この電圧低下を検出すると、送受信回路７ａが制御部８に火災信号を出力する。制御部８は、送受信回路７ａから火災信号を受信すると、火災を検出した感知器回線Ｌ１と対応する表示部９を点灯制御する。更に制御部８は、記憶部１１に記憶された連動テーブルから、対応する被制御装置が接続された制御回路７ｂの移報接点を動作させる制御信号を制御回路７ｂに送信する。制御回路７ｂが制御信号を受信すると、受信した制御信号の情報と自身の移報接点の情報を照らし合わせる。そして、受信した制御信号と対応する移報接点を有している場合、制御信号と対応する移報接点を動作させ、対応する移報接点を有していない場合、何もしない。
【００２４】
このとき、各種遮断スイッチの遮断情報を参照し、対応する被制御装置が接続された制御回線Ｌ２が遮断状態に設定されている場合、制御部８は、遮断状態の制御回線Ｌ２に対応する制御回路７ｂの移報接点を動作させる制御信号を出力しない。
【００２５】
次に、点検作業の一例として、遮断状態が設定された制御回線Ｌ２が存在する火災報知設備１００の点検作業について説明する。火災報知設備１００は、設置時や火災監視状態の時に操作部１０に設けられた遮断スイッチがオンにされることで、対応する制御回線Ｌ２を遮断状態に設定する。その後、点検作業者が操作部１０の点検スイッチを操作して、火災受信機１を点検状態にする。火災受信機１が点検状態になると、制御部８は、点検状態になる直前の遮断スイッチの遮断情報を記憶部１１に記憶する。
【００２６】
その後点検作業者は、感知器回線Ｌ１に接続された火災感知器２が正常かどうかを確認するあぶり試験や、火災感知器２が動作した場合に、対応する被制御装置が正常に動作するかどうか等の連動動作について点検する。
【００２７】
点検作業者が点検を終え、操作部１０の点検スイッチを操作すると、火災受信機１は火災監視状態にもどる。このとき、制御部８は、記憶部１１に記憶された点検前の遮断スイッチの遮断情報を読み込み、点検前の遮断情報に対応した遮断スイッチのオンオフ状態に戻す。
【００２８】
このように、点検作業者が操作部１０の操作によって点検状態から火災監視状態に戻ると、点検状態となる直前の遮断情報に対応した遮断スイッチのオンオフ状態に自動で復旧されるので、点検前の遮断情報を紙などに記入する必要が無く、点検後の復旧作業が容易に行えるという効果が得られる。
【００２９】
なお、本実施の形態において、点検作業者が遮断スイッチを操作することで、点検状態となる直前の遮断情報とは別に、点検中の遮断情報を記憶部１１に記憶し、点検終了時に点検前の遮断情報か、点検中の遮断情報か、複数の遮断スイッチの一括遮断解除状態か、のいずれかを選択して復旧可能としてもよい。これにより、点検中に設定した遮断スイッチのオンオフ状態や、全ての制御回線Ｌ２が動作可能な遮断解除状態を選択して点検を終了できるので、点検後の遮断情報の設定作業を一から設定し直す必要が無く、点検後の復旧作業が容易に行えるという効果が得られる。
【００３０】
なお、本願発明は、遮断情報が設定された状態で火災受信機１を点検状態とすると、遮断情報は記憶部１１に記憶されるとともに、そのままの遮断情報で点検状態となるが、例えば点検状態になるときに全ての遮断情報を遮断解除状態としてもよい。
【００３１】
また、点検状態の切り換えは単一の点検スイッチを押下して切り換えるものとしたが、例えば操作部１０の各種操作ボタンを特殊なシーケンスで操作することによって切り換えるものとしても良く、これらについても点検スイッチに含まれる。
【符号の説明】
【００３２】
１００  火災報知設備、１  火災受信機、２  火災感知器、３  発信器、４  防排煙装置、５  非常警報装置、６  ＥＶ盤、７ａ  送受信回路、７ｂ  制御回路、８  制御部、９  表示部、１０  操作部、１１  記憶部、Ｌ１  感知器回線、Ｌ２  制御回線。
【図１】
0005921284.tif 000002